(57)【要約】【課題】印刷済のカードを受付順に沿って容易に並べ替えること。【解決手段】入力部１１からバッファ１２の個人情報データ群作成部１２ａに受付順を含む個人情報データ３０が送られ、この個人情報データ群作成部１２ａにおいて、個人情報データ群３０Ａが作成される。個人情報データ群３０Ａ内の個人情報データ３０が順番整理部１２ｂで受付順に沿って順番整理され、順番整理された個人情報データ３０がプリンタ２０へ送られてカードに印刷が施される。入力部１１に個人情報データ群３０Ａに含まれない受付順をもつ歯抜け個人情報データが送られてきた場合、この歯抜け個人情報データはプリンタ２０へ直接送られてカードに印刷が施される。【選択図】図１
2019077112.tif 000002
【特許請求の範囲】
【請求項１】
プリンタへ個人情報データを出力する印刷制御装置において、
受付順を含む個人情報データが入力される入力部と、
前記入力部から送られる前記個人情報データを所定時間または所定件数の範囲内で受け付けて個人情報データ群を作成する個人情報データ群作成部を有するバッファとを備え、
前記バッファは更に前記個人情報データ群内の個人情報データを受付順に順番整理する順番整理部と、前記順番整理部で順番整理された個人情報データをプリンタへ出力する出力部とを有し、
前記入力部に、前記個人情報データ群に含まれない受付順をもつ歯抜け個人情報データが入力されたと判断した際、当該歯抜け個人情報データをプリンタへ出力する追加出力部を接続した印刷制御装置。
【請求項２】
受付順を含む個人情報データが入力される入力部と、
前記入力部から送られる前記個人情報データを所定時間または所定件数の範囲内で受け付けて個人情報データ群を作成する個人情報データ群作成部を有するバッファとを備え、
前記バッファは更に前記個人情報データ群内の個人情報データを受付順に順番整理する順番整理部と、前記順番整理部で順番整理された個人情報データをプリンタへ出力する出力部とを有し、
前記入力部に、前記個人情報データ群に含まれない受付順をもつ歯抜け個人情報データが入力されたと判断した際、当該歯抜け個人情報データをプリンタへ出力する追加出力部を接続した印刷制御装置と、
この印刷制御装置に接続されたプリンタとを備えた、印刷システムであって、
前記プリンタは前記出力部からの個人情報データおよび追加出力部からの歯抜け個人情報データに基づいてカードに印刷を施すプリンタ部と、
前記出力部からの個人情報データに基づいて印刷されたカードを排出する排出部と、
前記追加出力部からの歯抜けの個人情報データに基づいて印刷されたカードを排出する追加排出部とを有する印刷システム。
【請求項３】
前記排出部は前記歯抜けの個人情報データの前後いずれかの受付順をもつ個人情報データに基づいて印刷されたカードを９０°回転させて排出する請求項２記載の印刷システム。
【請求項４】
プリンタへ個人情報データを出力する印刷制御方法において、
受付順を含む個人情報データが入力部に入力される工程と、
前記入力部から送られる前記個人情報データを所定時間または所定件数の範囲内でバッファの個人情報データ群作成部内で受け付けて個人情報データ群を作成する工程と、
前記バッファの個人情報データ群作成部内の前記個人情報データ群にある個人情報データを受付順に順番整理部で順番整理する工程と、前記順番整理部で順番整理された個人情報データを出力部からプリンタへ出力する工程とを備え、
前記入力部に、前記個人情報データ群に含まれない受付順をもつ歯抜け個人情報データが入力された際、当該歯抜け個人情報データをプリンタへ追加出力部から出力する印刷制御方法。
【請求項５】
受付順を含む個人情報データが入力部に入力される工程と、
前記入力部から送られる前記個人情報データを所定時間または所定件数の範囲内でバッファの個人情報データ群作成部内で受け付けて個人情報データ群を作成する工程と、
前記バッファの個人情報データ群作成部内の前記個人情報データ群にある個人情報データを受付順に順番整理部で順番整理する工程と、
前記順番整理部で順番整理された個人情報データを出力部からプリンタへ出力する工程とを備え、
前記入力部に、前記個人情報データ群に含まれない受付順をもつ歯抜け個人情報データが入力された際、当該歯抜け個人情報データをプリンタへ追加出力部から出力する印刷制御方法と、
この印刷制御方法によりプリンタによりカードに印刷する印刷方法とを備え、
前記印刷方法は前記出力部からの個人情報データおよび追加出力部からの歯抜け個人情報データに基づいてプリンタ部によりカードに印刷を施す工程と、
前記出力部からの個人情報データに基づいて印刷されたカードを排出部から排出する工程と、
前記追加出力部からの歯抜けの個人情報データに基づいて印刷されたカードを追加排出部から排出する工程とを有する印刷システム制御方法。
【請求項６】
前記排出部は前記歯抜けの個人情報データの前後いずれかの受付順をもつ個人情報データに基づいて印刷されたカードを９０°回転させて排出する請求項５記載の印刷システム制御方法。
【発明の詳細な説明】
【技術分野】
【０００１】
本発明は、印刷制御装置、印刷制御方法、印刷システム及び印刷システム制御方法に関する。
【背景技術】
【０００２】
社員証、運転免許証等のカードを発行する場合、例えば運転免許証等のカードを発行する場合、まず申請者が窓口に申請して受付順が確定する。次に申請者が視力、聴力の検査をし、更新可否の確認を行う。その後申請者に対して写真撮影し、その後カードへの印刷、カードの検品を経てカードが交付される。
【０００３】
しかしながら従来、このようなカード発行の手続きの間、申請者がトイレ等へ行ったり、再検査が必要な場合、申請者の受付順と、カードへの印刷（すなわちカードの発行）の順番が一致しないことがあり、この場合はカードの検品時に印刷済の発行カードを手作業で入れ替える必要があり、この入れ替え作業が煩雑となっている。
【先行技術文献】
【特許文献】
【０００４】
【特許文献１】特開２０１６−１２８９８６号公報
【発明の概要】
【発明が解決しようとする課題】
【０００５】
本発明はこのような点を考慮してなされたものであり、カードの検品時に印刷済カードの入れ替え作業が容易となる印刷制御装置、印刷制御方法、印刷システム及び印刷システム制御方法を提供することを目的とする。
【課題を解決するための手段】
【０００６】
本発明は、プリンタへ個人情報データを出力する印刷制御装置において、受付順を含む個人情報データが入力される入力部と、前記入力部から送られる前記個人情報データを所定時間または所定件数の範囲内で受け付けて個人情報データ群を作成する個人情報データ群作成部を有するバッファとを備え、前記バッファは更に前記個人情報データ群内の個人情報データを受付順に順番整理する順番整理部と、前記順番整理部で順番整理された個人情報データをプリンタへ出力する出力部とを有し、前記入力部に、前記個人情報データ群に含まれない受付順をもつ歯抜け個人情報データが入力されたと判断した際、当該歯抜け個人情報データをプリンタへ出力する追加出力部を接続した印刷制御装置である。
【０００７】
本発明は、受付順を含む個人情報データが入力される入力部と、前記入力部から送られる前記個人情報データを所定時間または所定件数の範囲内で受け付けて個人情報データ群を作成する個人情報データ群作成部を有するバッファとを備え、前記バッファは更に前記個人情報データ群内の個人情報データを受付順に順番整理する順番整理部と、前記順番整理部で順番整理された個人情報データをプリンタへ出力する出力部とを有し、前記入力部に、前記個人情報データ群に含まれない受付順をもつ歯抜け個人情報データが入力されたと判断した際、当該歯抜け個人情報データをプリンタへ出力する追加出力部を接続した印刷制御装置と、この印刷制御装置に接続されたプリンタとを備えた、印刷システムであって、前記プリンタは前記出力部からの個人情報データおよび追加出力部からの歯抜け個人情報データに基づいてカードに印刷を施すプリンタ部と、前記出力部からの個人情報データに基づいて印刷されたカードを排出する排出部と、前記追加出力部からの歯抜けの個人情報データに基づいて印刷されたカードを排出する追加排出部とを有する印刷システムである。
【０００８】
本発明は、前記排出部は前記歯抜けの個人情報データの前後いずれかの受付順をもつ個人情報データに基づいて印刷されたカードを９０°回転させて排出する、印刷システムである。
【０００９】
本発明は、プリンタへ個人情報データを出力する印刷制御方法において、受付順を含む個人情報データが入力部に入力される工程と、前記入力部から送られる前記個人情報データを所定時間または所定件数の範囲内でバッファの個人情報データ群作成部内で受け付けて個人情報データ群を作成する工程と、前記バッファの個人情報データ群作成部内の前記個人情報データ群にある個人情報データを受付順に順番整理部で順番整理する工程と、前記順番整理部で順番整理された個人情報データを出力部からプリンタへ出力する工程とを備え、前記入力部に、前記個人情報データ群に含まれない受付順をもつ歯抜け個人情報データが入力された際、当該歯抜け個人情報データをプリンタへ追加出力部から出力する印刷制御方法である。
【００１０】
本発明は、受付順を含む個人情報データが入力部に入力される工程と、前記入力部から送られる前記個人情報データを所定時間または所定件数の範囲内でバッファの個人情報データ群作成部内で受け付けて個人情報データ群を作成する工程と、前記バッファの個人情報データ群作成部内の前記個人情報データ群にある個人情報データを受付順に順番整理部で順番整理する工程と、前記順番整理部で順番整理された個人情報データを出力部からプリンタへ出力する工程とを備え、前記入力部に、前記個人情報データ群に含まれない受付順をもつ歯抜け個人情報データが入力された際、当該歯抜け個人情報データをプリンタへ追加出力部から出力する印刷制御方法と、この印刷制御方法によりプリンタによりカードに印刷する印刷方法とを備え、前記印刷方法は前記出力部からの個人情報データおよび追加出力部からの歯抜け個人情報データに基づいてプリンタ部によりカードに印刷を施す工程と、前記出力部からの個人情報データに基づいて印刷されたカードを排出部から排出する工程と、前記追加出力部からの歯抜けの個人情報データに基づいて印刷されたカードを追加排出部から排出する工程とを有する印刷システム制御方法である。
【００１１】
本発明は、前記排出部は前記歯抜けの個人情報データの前後いずれかの受付順をもつ個人情報データに基づいて印刷されたカードを９０°回転させて排出する印刷システム制御方法である。
【発明の効果】
【００１２】
以上のように本発明によれば、印刷済カードを受付順で並び替える作業を簡略化することができ、作業効率の短縮を図ることができる。
【図面の簡単な説明】
【００１３】
【図１】図１は本実施の形態による印刷システム全体を示す図。
【図２】図２は本実施の形態による印刷制御方法を示すフローチャート。
【図３】図３はバッファ内の作用を示すフローチャート。
【図４】図４はプリンタ内の作用を示すフローチャート。
【図５】図５はカード発行手続きの流れを示す図。
【図６】図６は他のカード発行手続きの流れを示す図。
【発明を実施するための形態】
【００１４】
以下、図面を参照して本発明の実施の形態について説明する。
【００１５】
はじめに、図５および図６を用いて運転免許証等のカードを発行する発行手続きの流れについて説明する。
【００１６】
このうち図５は小規模の運転免許試験場における発行手続きの流れを示す図、図６は大規模の運転免許試験場における発行手続きの流れを示す図である。
【００１７】
まず小規模の運転免許試験場では、図５に示すように申請者が窓口に出向いて受け付けを行い、連続番号となる受付順が付与される。次に申請者は検査手続きに入り、視力、聴力の検査を行い、更新登録手続きを行う。ここでは更新可否の確認が行われ、問題が無ければホストコンピュータに個人情報データが入力され、このホストコンピュータに更新された個人情報が登録される。次に申請者は撮影部へ向かい、ここで顔画像、申請書画像（手続き文字の取得）が撮影され、この画像データを入力される。
【００１８】
次にホストコンピュータに登録された個人情報が画像データとともに個人情報データとして印刷部に送られ、この印刷部においてカードに対して印刷が施されて印刷済カードが発行される。次に発行されたカードは検品手続きに入る。この検品手続きにおいて、カードの汚れ、傷が検査され、同時に発行されたカードが受付順に並べられ、その後発行されたカードが申請者に交付される。
【００１９】
あるいは大規模の運転免許試験場では、図６に示すように申請者が窓口１、２、３のいずれかに出向いて受け付けを行い、連続番号となる受付順が付与される。次に申請者は検査部１、２のいずれか空いた検査部で検査手続きに入り、視力、聴力の検査を行い、更新登録部１、２、３のいずれか空いた更新登録部で更新登録手続きを行う。ここでは更新可否の確認が行われ、問題が無ければホストコンピュータに個人情報データが入力され、このホストコンピュータに更新された個人情報が登録される。次に申請者は撮影部１、２、３、４のいずれか空いた撮影部へ向かい、ここで顔画像、申請書画像（手続き文字の取得）が撮影され、この画像データを入力される。
【００２０】
次にホストコンピュータに登録された個人情報が画像データとともに個人情報データとして印刷部１、２のいずれか空いた印刷部に送られ、この印刷部においてカードに対して印刷が施されて印刷済カードが発行される。次に発行されたカードは検品手続きに入る。この検品手続きにおいて、カードの汚れ、傷が検査され、同時に発行されたカードが受付順に並べられ、その後発行されたカードが申請者に交付される。
【００２１】
上述のように、とりわけ大規模の運転免許試験場では、申請者が例えば空いた撮影部に向かうため、必ずしも申請者の受付順にカードが印刷されないことも考えられる。
【００２２】
また小規模の運転免許試験場でも、申請者がトイレ等へ出向くことがあり、申請者の受付順にカードが印刷されないことも考えられる。
【００２３】
そこで本発明において、後述する印刷制御装置を設けることにより、申請者の受付順に合わせてカードに印刷してカードを発行し、かつ例えば申請者がトイレ等へ行ったり、申請者が再検査して申請者の受付順から大きく遅れた時点でカードを発行しても、カードの並べ替え作業を容易に行うことができる。
【００２４】
次に本発明による印刷制御装置、および印刷制御装置とプリンタとを含む印刷システム全体について図１により説明する。
【００２５】
このような印刷制御装置は、図５および図６に示す印刷部に設置されるが、図５および図６に示す撮影部に設置してもよい。
【００２６】
本実施の形態においては、印刷制御部を印刷部側に設置した場合を例にとって説明する。
【００２７】
図１は、印刷制御装置とプリンタを含む印刷システム１の構成の一例を示す図である。図１に示すように、印刷システム１は、印刷制御装置１０と、プリンタ２０とを備える。印刷制御装置１０と、プリンタ２０とは、ネットワークを介して接続されている。
【００２８】
プリンタ２０のプリント方式は特に限定されず、インクジェット方式、昇華型熱転写方式、溶融型熱転写方式等を用いることができる。
【００２９】
ここで、昇華型熱転写方式のプリンタを用いる場合、本発明では、イエロー、マゼンタ、シアンの三原色、或いはこれらの三原色にブラックを加えた四原色のみでは色分解し得ない色、例えば、金色、銀色、蛍光色、ブロンズ色や、ＵＶインクなどの特殊インキを使用した色などの特別な色のことを「特色」という。
【００３０】
また印刷制御装置１０はプリンタ２０へ個人情報データ３０（図２参照）を出力するものである。
【００３１】
このような印刷制御装置１０は、受付順を含む個人情報データ３０が入力される入力部１１と、入力部１１から送られる個人情報データ３０を所定時間または所定件数の範囲内で受け付けて個人情報データ群３０Ａ（図２参照）を作成する個人情報データ群作成部１２ａを有するバッファ１２とを備えている。
【００３２】
またバッファ１２は更に個人情報データ群３０Ａ内の個人情報データ３０を受付順に順番整理する順番整理部１２ｂと、順番整理部１２ｂで順番整理された個人情報データをプリンタへ出力する出力部１２ｃとを有している。
【００３３】
また入力部１１に、個人情報データ群３０Ａに含まれない受付順をもつ歯抜け個人情報データ３１が入力されたと判断した際、この歯抜け個人情報データ３１をプリンタ２０へ出力する追加出力部１５が接続されている。
【００３４】
以下、受付順を含む個人情報データ３０、個人情報データ群３０Ａ、および歯抜け個人情報データ３１について詳述する。
【００３５】
個人情報データ３０は上述のようにホストコンピュータに登録された個人情報と、撮影部において撮影された画像データとを含んでおり、個人情報データ３０が入力部１１に入力されると、個人情報データ３０はバッファ１２内の個人情報データ群作成部１２ａに送られ、この個人情報データ群作成部１２ａにより複数の個人情報データ３０を含む個人情報データ群３０Ａが作成される。
【００３６】
個人情報データ群作成部１２ａは、入力部１１から例えば所定時間又は所定件数（例えば２０件）の範囲内で送られてくる個人情報データ３０をまとめて個人情報データ群３０Ａを作成する。
【００３７】
入力部１１からバッファ１２へ送られてくる個人情報データ３０は、例えば検査部が複数あったり、撮影部が複数ある場合、必ずしも申請者の受付順にバッファ１２へ送られることはなく、受付順が「１」「３」「２」「７」「４」「６」…のような順番でバッファ１２内へ送られることがある。
【００３８】
また個人情報データ群作成部１２ａ内で個人情報データ群３０Ａを作成した場合、この個人情報データ群３０Ａ中に含まれない受付順、例えば「５」の受付順を含む個人情報データが存在する。このような個人情報データは、歯抜けした個人情報データ３１となる。
【００３９】
例えば図２に示すように、バッファ１２の個人情報データ群作成部１２ａにおいて受付順「１」「２」「３」「４」「６」「７」…をもつ個人情報データ３０から個人情報データ群３０Ａが作成され、受付順「５」をもつ歯抜けの個人情報データ３１は、個人情報データ群３０Ａの個人情報データ３０とは異なる取扱いを受ける。
【００４０】
また図１に示すようにプリンタ２０は出力部１２ｃからの個人情報データまたは追加出力部１５からの歯抜け個人情報データに基づいてカードに印刷を施すプリンタ部２１と、出力部１２ｃからの個人情報データに基づいて印刷されたカードを排出する排出部２２と、追加出力部１５からの歯抜け個人情報データに基づいて印刷されたカードを排出する追加排出部２３とを有する。
【００４１】
更にプリンタ２０の排出部２２は、歯抜け個人情報データの前後いずれかの受付順、例えば歯抜け個人情報データの受付順が「５」の場合、受付順「４」または「６」をもつ個人情報データに基づいて印刷されたカードを９０°回転させて排出するようになっている。このことにより、受付順が「５」の歯抜け個人情報データにより印刷されたカードを、９０°回転したカードの上層又は下層に挿入することができ、歯抜け個人情報データ３１により印刷されたカードを個人情報データ群３０Ａの各個人情報データ３０により印刷されたカード中に正しく挿入することができる。
【００４２】
次にこのような構成からなる本実施の形態の作用、すなわち、印刷制御方法（処理１）について図２により述べる。
【００４３】
まず、ホストコンピュータに登録された個人情報と、画像データとを含む個人情報データが入力部１１に入力される。
【００４４】
次にこの個人情報データが、すでに作成された個人情報データ群３０Ａに含まれない受付順をもつ歯抜けデータであるか否か判断される。
【００４５】
例えばすでに作成された個人情報データ群３０Ａの個人情報データ３０が受付順「１」「２」「３」「４」「６」「７」…をもつ場合、受付順「５」をもつ個人情報データは歯抜け個人情報データ３１と認定される。
【００４６】
入力部１１に入力された個人情報データが歯抜け個人情報データ３１と判断されると、追加出力部１５から、この歯抜け個人情報データ３１がプリンタ２０側へ送られ、このプリンタ２０のプリンタ部２１においてカードに印刷が施され、カードが発行される。
【００４７】
印刷済のカードは、その後追加排出部２３から排出される。
【００４８】
一方、入力部１１に入力された個人情報データが歯抜け個人情報データではないと判断された場合、この個人情報データ３０は入力部１１からバッファ１２へ送られ、バッファ１２の個人情報データ群作成部１２ａにより個人情報データ３０から個人情報データ群３０Ａが作成される。この際バッファ１２の個人情報データ群作成部１２ａは、所定時間または所定件数（例えば２０件）の範囲内に受け付けた個人情報データ３０を用いて個人情報データ群３０Ａを作成する。
【００４９】
バッファ１２内の個人情報データ群作成部１２ａにおいて、個人情報データ群３０Ａが作成され、その後更にバッファ１２内に個人情報データ３０が送られてきた場合、バッファ１２の個人情報データ群作成部１２ａは更に次の個人情報データ群３０Ａを作成する。
【００５０】
次にバッファ１２内の作用（処理２）について図２により説明する。
【００５１】
上述のように、入力部１１からバッファ１２に送られた個人情報データ３０は個人情報データ群作成部１２ａにより蓄積され、この個人情報データ群作成部１２ａにおいて、個人情報データ群３０Ａが作成される。
【００５２】
次に個人情報データ群作成部１２ａで作成された個人情報データ群３０Ａは、順番整理部１２ｂへ送られ、この順番整理部１２ｂにおいて、個人情報データ群３０Ａ内の個人情報データ３０が受付順に順番整理される。
【００５３】
例えば、入力部１１からバッファ１２内へ受付順として「１」「３」「２」「７」「４」「６」…をもつ個人情報データ３０が順次送られてきた場合、バッファ１２の順番整理部１２ｂは、この個人情報データ３０の順番を整理して、個人情報データ群３０Ａ内の個人情報データ３０をその受付順が「１」「２」「３」「４」「６」「７」…となるよう並べ替える。この場合、受付順「５」をもつ個人情報データは歯抜け個人情報データとなる。
【００５４】
次にバッファ１２の出力部１２ｃから、順番整理部１２ｂで並び替えられた個人情報データ群３０Ａ内の個人情報データ３０が順次プリンタ２０側へ出力され、プリンタ２０のプリンタ部２１によりカードに対して必要な印刷が施され、このようにしてカードが発行される。
【００５５】
このようにして個人情報データ群３０Ａ内のすべての個人情報データ３０がプリンタ２０側へ送られてカードが発行されると、バッファ１２内の個人情報データ群３０Ａが解放される。
【００５６】
次にプリンタ２０側の作用について図４により述べる。プリンタ２０側へ追加出力部１５から歯抜け個人情報データ３１が送られた場合、この歯抜け個人情報データ３１に基づいてプリンタ部２１によりカードに対して印刷が施され、印刷済のカードは追加排出部２３から排出される。
【００５７】
一方、プリンタ２０側へ出力部１２ｃから個人情報データ群３０Ａの個人情報データ３０が送られた場合、この個人情報データ３０に基づいてプリンタ部２１によりカードに対して印刷が施され、印刷済のカードは排出部２２から排出される。
【００５８】
この場合、例えば歯抜け個人情報データ３１が「５」の受付順をもつ場合、「５」の前後、例えば次の受付順「６」をもつ個人情報データ３０に基づいて印刷されたカードは９０°回転した状態で排出部２２から排出される。
【００５９】
このようにプリンタ２０のプリンタ部２１で印刷されたカードのうち、歯抜け個人情報データをもつカードは追加排出部２３から排出され、その他の個人情報データをもつカードは排出部２２から排出される。
【００６０】
プリンタ２０により印刷された発行済のカードは、その後検品部で検品され、表面の汚れ、傷等があるか否か検査される。
【００６１】
同時に検品部では、発行済のカードが受付順に並べられる。上述のように、バッファ１２の個人情報データ群作成部１２ａにより作成された個人情報データ３０は順番整理部１２ｂによりその受付順が予め並び替えられているため、プリンタ２０で印刷され排出部２２から排出されるカードの受付順は揃っている。
【００６２】
他方、歯抜け個人情報データをもつカードはプリンタ２０の追加排出部２３から排出されるが、この歯抜け個人情報データをもつカードの次の受付順をもつ個人情報データのカードは、排出部２２から９０°回転した状態で排出される。このため追加排出部２３から排出され歯抜け個人情報データをもつカードを容易かつ簡単に個人情報データ３０をもち排出部２２から排出されるカード中の適切な位置に挿入し、発行されるカード全体を受付順に正しく並び替えることができる。
【００６３】
以上のように本実施の形態によれば、プリンタ２０から印刷され発行されたカードをその受付順に応じて確実かつ容易に並べ替えることができる。
【符号の説明】
【００６４】
１  印刷システム
１０  印刷制御装置
１１  入力部
１２  バッファ
１２ａ  個人情報データ群作成部
１２ｂ  順番整理部
１２ｃ  出力部
１５  追加出力部
２０  プリンタ
２１  プリンタ部
２２  排出部
２３  追加排出部
３０  個人情報データ
３０Ａ  個人情報データ群
３１  歯抜け個人情報データ
【図１】
2019077112.tif 000003
【図２】
2019077112.tif 000004
【図３】
2019077112.tif 000005
【図４】
2019077112.tif 000006
【図５】
2019077112.tif 000007
【図６】
2019077112.tif 000008